(57)【要約】      （修正有）【課題】アドレスの姿勢などを他人のアドバイスを受けることなく正しくするパタークラブを提供する。【解決手段】クラブヘッド部材１１と、シャフト部材１２と、グリップ部材１３とを有するパタークラブ本体１と、シャフト部材１２の他方の端部に取り外し可能に装着された補助部材２とを含み、前記シャフト部材１２は、他方の端部がグリップ部材１３から露出されているとともに、その内部に非円形断面形状の筒状部材が固定されてあり、前記補助部材２は、筒状部材に対して挿脱可能、かつ回転不能な連結軸部材と、シャフト部材１２と平行な補助シャフト部材２２と、補助シャフト部材２２に装着された補助グリップ部材２３と、連結軸部材と補助シャフト部材２２とを連結する連結板部材２４とを有している。【選択図】図１
0003142888.tif 000002
【実用新案登録請求の範囲】
【請求項１】
クラブヘッド部材（１１）と、一方の端部が該クラブヘッド部材（１１）と連結されたシャフト部材（１２）と、該シャフト部材（１２）の他方の端部に装着されたグリップ部材（１３）とを有するパタークラブ本体（１）と、前記シャフト部材（１２）の他方の端部に取り外し可能に装着された補助部材（２）とを含むパタークラブであって、
前記シャフト部材（１２）は、他方の端部が前記グリップ部材（１３）から露出されているとともに、その内部に非円形断面形状の内部空間（１４）が形成されてあり、
前記補助部材（２）は、前記内部空間（１４）に対して挿脱可能、かつ回転不能な連結軸部材（２１）と、前記シャフト部材（１２）と平行な補助シャフト部材（２２）と、該補助シャフト部材（２２）に装着された補助グリップ部材（２３）と、前記連結軸部材（２１）と前記補助シャフト部材（２２）とを連結する連結板部材（２４）とを有し、
前記クラブヘッド部材（１１）のフェースを前記パタークラブ本体（１）の前記グリップ部材（１３）と前記補助部材（２）の前記補助グリップ部材（２３）との中間位置に対応させて位置決めするよう前記シャフト部材（１２）の一方の端部を基準とする所定範囲が湾曲されていることを特徴とするパタークラブ。
【請求項２】
前記内部空間（１４）は、前記シャフト部材（１２）の内部に装着された非円形断面形状の筒状部材（１４ａ）の内部空間である請求項１に記載のパタークラブ。
【請求項３】
前記パタークラブ本体（１）の前記グリップ部材（１３）と前記補助部材（２）の前記補助グリップ部材（２３）との間隔がゴルフボールの直径と等しい距離に設定されているとともに、前記クラブヘッド部材（１１）のフェースがゴルフボールの半径と等しい距離だけオフセットされている請求項１に記載のパタークラブ。
【考案の詳細な説明】
【技術分野】
【０００１】
本考案はパタークラブに関し、さらに詳細にいえば、ゴルフルールに適合し、かつ正しいアドレスをとる練習を行うことができる新規なパタークラブに関する。
【背景技術】
【０００２】
従来から、種々の構成のパタークラブが提供されている。
【０００３】
しかし、パタークラブの多様性は、クラブヘッド部材の構成の多様性、シャフト部材およびグリップ部材の多様性に依存している。
【０００４】
これらのうち、クラブヘッド部材の構成の多様性に関しては、フェース面の形状、スイートスポットを拡げるための形状、フェース面の向きを把握し易くするための形状などに依存しており、シャフト部材およびグリップ部材の多様性に関しては、シャフト部材の長さ、グリップ部材の数、グリップ部材の断面形状に依存している。
【０００５】
シャフト部材およびグリップ部材に関しては、例えば、脚の長さよりもやや短い長さのシャフト部材と、非円形断面形状の外面を有する１つのグリップ部材を有するパタークラブと、身長よりもやや短い長さのシャフト部材と、円形断面形状の外面を有する２つのグリップ部材を有する、いわゆる長尺パタークラブがある。
【０００６】
また、シャフト部材としては、ストローク方向に関して後ろ側に所定距離だけクラブヘッド部材をオフセットさせるために湾曲させたもの、ストローク方向に関してクラブヘッド部材をオフセットさせないようにするためにほぼ直線状にしたものがある。
【０００７】
したがって、ゴルフプレーヤーが自己の好みにあったパタークラブを持って、グリーン上のゴルフボールにアドレスし、パタークラブをストロークすることによって、ゴルフボールをホールに向かって転がすことができる。
【考案の開示】
【考案が解決しようとする課題】
【０００８】
脚の長さよりもやや短い長さのシャフト部材と、非円形断面形状の外面を有する１つのグリップ部材を有するパタークラブを用いてゴルフボールに対するストロークを行う場合には、１つのグリップ部材を両手で把持する関係上、一方の手と他方の手の把持位置がシャフト部材の長手方向において互いに異なるので、パタークラブを持ってグリーン上のゴルフボールにアドレスした場合に、下側に位置する手の側の肩などが前に出てしまい、この結果、パタークラブをスクエアにストロークすることが困難になり、ゴルフボールがホールからずれた位置に向かって転がることになってしまう。
【０００９】
このような不都合の発生を防止しようとすれば、例えば、他人にアドレスの姿勢、ストロークの仕方などをみてもらい、上記の不都合が生じないように姿勢などを変更することが必要になるが、このように他人のアドバイスを受けることができるチャンスは余り多くないので、常に変更した姿勢をとることができる保証がない。
【００１０】
さらに、アドレスの姿勢などについて適切なアドバイスを行うことができる人は限られており、いつでもどこでも適切なアドバイスを受けることができる保証がない。
【００１１】
本考案は上記の問題点に鑑みてなされたものであり、アドレスの姿勢などを他人のアドバイスを受けることなく正しくすることができ、しかもゴルフルールに適合するパタークラブを提供することを目的としている。
【課題を解決するための手段】
【００１２】
本考案のパタークラブは、クラブヘッド部材と、一方の端部が該クラブヘッド部材と連結されたシャフト部材と、該シャフト部材の他方の端部に装着されたグリップ部材とを有するパタークラブ本体と、前記シャフト部材の他方の端部に取り外し可能に装着された補助部材とを含むものであって、前記シャフト部材は、他方の端部が前記グリップ部材から露出されているとともに、その内部に非円形断面形状の内部空間が形成されてあり、前記補助部材は、前記内部空間に対して挿脱可能、かつ回転不能な連結軸部材と、前記シャフト部材と平行な補助シャフト部材と、該補助シャフト部材に装着された補助グリップ部材と、前記連結軸部材と前記補助シャフト部材とを連結する連結板部材とを有し、前記クラブヘッド部材のフェースを前記パタークラブ本体の前記グリップ部材と前記補助部材の前記補助グリップ部材との中間位置に対応させて位置決めするよう前記シャフト部材の一方の端部を基準とする所定範囲が湾曲されていることを特徴とするものである。
【００１３】
したがって、補助部材をパタークラブ本体に対して取り付けた状態において、シャフト部材に装着されたグリップ部材と補助シャフト部材に装着されたグリップ部材を右手と左手で握ることによって、簡単にゴルフボールに対して正しいアドレスをとることができる。すなわち、一方の肩が前に出るような不都合のないアドレスをとることができる。
【００１４】
そして、このようにしてとったアドレスを記憶に留めたままで、シャフト部材に装着されたグリップ部材のみを両手で握ることによって、ゴルフボールに対して正しいアドレスをとることができる。すなわち、一方の肩が前に出るような不都合のないアドレスをとることができる。
【００１５】
これらの一連の動作を反復することによって、補助部材が存在しない場合であっても、ゴルフボールに対して正しいアドレスをとることができるようになる。
【００１６】
そして、ゴルフ競技の前に補助部材を取り外しておくことによって、ゴルフルールに適合するパタークラブでゴルフ競技を遂行することができる。
【００１７】
また、補助部材は、ねじ止めなどを必要とすることなく簡単に着脱することができ、しかも非円形断面形状の内部空間によって、シャフト部材に対する相対位置を正しく設定できるので、いつでも簡単に正しいアドレスの練習を行うことができる。特に、補助部材は正しいアドレスの練習のためにのみ必要であるから、補助部材がシャフト部材に対して強固に連結されていなくても特に不都合とはならない。
【００１８】
さらに、シャフト部材に対する穴あけ加工などを行わないのであるから、パタークラブ本体の強度を高いままに維持することができる。
【００１９】
ここで、前記内部空間は、前記シャフト部材の内部に装着された非円形断面形状の筒状部材の内部空間であることが好ましく、内部空間を簡単に、かつ正確に実現することができる。
【００２０】
また、パタークラブ本体のグリップ部材と補助部材の補助グリップ部材との間隔がゴルフボールの直径と等しい距離に設定されているとともに、クラブヘッド部材のフェースがゴルフボールの半径と等しい距離だけオフセットされていることが好ましく、逆グリップ（利き手を手前側にしてグリップ部材を両手でグリップすること）により、スムーズなストロークを行うことができる。
【考案の効果】
【００２１】
本考案は、補助部材をパタークラブ本体に対して取り付けた状態において、シャフト部材に装着されたグリップ部材と補助シャフト部材に装着されたグリップ部材を右手と左手で握ることによって、簡単にゴルフボールに対して正しいアドレスをとることができ、このようにしてとったアドレスを記憶に留めたままで、シャフト部材に装着されたグリップ部材のみを両手で握ることによって、ゴルフボールに対して正しいアドレスをとることができ、これらの一連の動作を反復することによって、補助部材が存在しない場合であっても、ゴルフボールに対して正しいアドレスをとることができるようにすることができる。
【００２２】
そして、ゴルフ競技の前に補助部材を取り外しておくことによって、ゴルフルールに適合するパタークラブでゴルフ競技を遂行することができる。
【００２３】
また、補助部材は、ねじ止めなどを必要とすることなく簡単に着脱することができ、しかもシャフト部材に対する相対位置を正しく設定できるので、いつでも簡単に正しいアドレスの練習を行うことができる。特に、補助部材は正しいアドレスの練習のためにのみ必要であるから、補助部材がシャフト部材に対して強固に連結されていなくても特に不都合とはならない。
【考案を実施するための最良の形態】
【００２４】
以下、添付図面を参照して、本考案のパタークラブの実施の形態を詳細に説明する。
【００２５】
図１は本考案のパタークラブの一実施形態を示す正面図、図２はグリップ側から見た概略平面図、図３は図２のＩＩＩ−ＩＩＩ矢視図、図４は分解状態を示す正面図である。
【００２６】
このパタークラブは、クラブヘッド部材１１と、一方の端部がクラブヘッド部材１１に連結された非長尺のシャフト部材１２と、シャフト部材１２の他方の端部に装着されたグリップ部材１３とを有するパタークラブ本体１と、前記シャフト部材１２の他方の端部に取り外し可能に装着された補助部材２とを有している。
【００２７】
前記クラブヘッド部材１１としては、ピン型のもの、マレット型のもの等、種々の形状のものを採用することができる。
【００２８】
前記グリップ部材１３としては、横断面が円形のものであればよいが、横断面が非円形であり、かつ横断面に凹みがなく左右対称であってもよい。材質は、従来公知の任意のものであればよい。
【００２９】
前記シャフト部材１２は、他方の端部が前記グリップ部材１３から露出されているとともに、その内部に非円形断面形状の筒状部材１４ａが溶接などにより固定されている。したがって、筒状部材１４ａの内部空間が、非円形断面形状の内部空間１４である。また、例えば、グリップ部材１３の他方の端部を切除してシャフト部材１２の他方の端部を露出させる。そして、前記非円形断面形状の筒状部材１４としては、三角形断面形状、四角形断面形状、楕円断面形状などを有する筒状部材が例示できる。また、筒状部材１４ａを固定する代わりに、前記シャフト部材１２の内部空間を非円形断面形状とするように、例えば、外周が弧状、内周が平面状の部材を所定角度毎（例えば、９０度毎、１２０度毎など）に固定することも可能である。
【００３０】
前記補助部材２は、前記筒状部材１４に対して挿脱可能、かつ回転不能な連結軸部材２１と、前記シャフト部材１２と平行に位置決めされる補助シャフト部材２２と、該補助シャフト部材２２に装着された補助グリップ部材２３と、前記連結軸部材２１と前記補助シャフト部材２２とを連結する連結板部材２４とを有している。
【００３１】
前記連結軸部材２１は、前記筒状部材１４の内断面形状とほぼ等しい断面形状を有し、かつ前記筒状部材１４の内断面形状よりもやや小さい断面形状を有する軸部材である。ただし、軽量化のために、筒状の軸部材を採用することが好ましい。
【００３２】
前記連結板部材２４は、前記補助部材２を前記筒状部材１４に対して挿入した状態において、前記補助シャフト部材２２が前記シャフト部材１２と平行になるように、前記連結軸部材２１と前記補助シャフト部材２２とを連結するものである。
【００３３】
前記補助シャフト部材２２は、前記シャフト部材１２と等しい外径の筒状部材である。そして、前記補助グリップ部材２３は、前記グリップ部材１３と同様の形状、材質のものである。
【００３４】
また、前記シャフト部材１２は、前記クラブヘッド部材１１のフェースを前記パタークラブ本体１の前記グリップ部材１３と前記補助部材２の前記補助グリップ部材２３との中間位置に対応させて位置決めするよう、その一方の端部を基準とする所定範囲が湾曲されている。
【００３５】
上記の構成のパタークラブであれば、連結軸部材２１を筒状部材１４に挿入することによって、パタークラブ本体１に対して補助部材２を取り付ければ、パタークラブ本体１のグリップ部材１３と補助部材２の補助グリップ部材２３を互いに平行にすることができる（正確には、グリップ部材１３の軸線と補助グリップ部材２３の軸線を互いに平行にすることができる）。
【００３６】
また、連結軸部材２１は、筒状部材１４に対して回転しないように挿入されるので、簡単に、正しいアドレスをとるために適した状態となるように補助部材２をパタークラブ本体１に取り付けることができる。
【００３７】
そして、この状態でのパタークラブはゴルフルールに適合していない。
【００３８】
ただし、補助部材２を取り外して、パタークラブ本体１のみにすれば、ゴルフルールに適合する。
【００３９】
したがって、ゴルフルールが適用されない練習時には、シャフト部材１２に装着されたグリップ部材１３と補助部材２の補助シャフト部材２２に装着された補助グリップ部材２３を右手と左手で握ることによって、簡単にゴルフボールに対して正しいアドレスをとることができる。すなわち、一方の肩が前に出るような不都合のないアドレスをとることができる。
【００４０】
そして、このようにしてとったアドレスを記憶に留めたままで、シャフト部材１２に装着されたグリップ部材１３のみを両手で握ることによって、ゴルフボールに対して正しいアドレスをとることができる。すなわち、一方の肩が前に出るような不都合のないアドレスをとることができる。
【００４１】
これらの一連の動作を反復することによって、補助部材２が存在しない場合であっても、ゴルフボールに対して正しいアドレスをとることができるようになる。この場合において、正しいアドレスについてのアドバイスを行う人は必要ではない。
【００４２】
そして、ゴルフボールに対して正しいアドレスをとることができるようになった後は、ゴルフ競技の前に補助部材２を取り外しておくことによって、ゴルフルールに適合するパタークラブ本体１のみを用いてゴルフ競技を遂行することができる。
【００４３】
このパタークラブ本体１は、クラブヘッド部材１１のフェース面がシャフト部材１２を基準としてストロークする方向にオフセットされているので、逆グリップ（利き手を手前側にしてグリップ部材を両手でグリップすること）でのストロークに好適である。
【００４４】
なお、補助部材２は、単に連結軸部材２１を筒状部材１４に挿入することによってパタークラブ本体１に取り付けられているだけであるから、簡単に取り外すことができる。しかし、補助部材２を取り付けるのは、アドレスの練習を行う場合だけであるから、強固に連結されていなくても特に不都合とはならない。
【００４５】
パタークラブ本体１のグリップ部材１３と補助部材２の補助グリップ部材２３との間隔（グリップ部材１３、補助グリップ部材２３どうしの互いに対向する部分の間隔）は、グリップ部材１３、補助グリップ部材２３をそれぞれの手でグリップできる範囲で任意に設定することができる。ただし、前記間隔がゴルフボールの直径と等しい距離に設定されているとともに、クラブヘッド部材１１のフェースがゴルフボールの半径と等しい距離だけオフセットされていることが好ましい。
【００４６】
この場合には、補助部材２を取り外した状態で、パタークラブ本体１のみに対して、逆グリップでスムーズなストロークを達成することができ、プッシュアウト、引っ掛けなどの発生を防止することができる。
【図面の簡単な説明】
【００４７】
【図１】本考案のパタークラブの一実施形態を示す正面図である。
【図２】グリップ側から見た概略平面図である。
【図３】図２のＩＩＩ−ＩＩＩ矢視図である。
【図４】分解状態を示す正面図である。
【符号の説明】
【００４８】
１    パタークラブ本体
１１    クラブヘッド部材
１２    シャフト部材
１３    グリップ部材
１４    筒状部材
２    補助部材
２１    連結軸部材
２２    補助シャフト部材
２３    補助グリップ部材
２４    連結板部材
【図１】
0003142888.tif 000003
【図２】
0003142888.tif 000004
【図３】
0003142888.tif 000005
【図４】
0003142888.tif 000006